(57)【要約】【課題】パンツ型吸収性物品と吸収パッドとを併用する際に、吸収パッドの位置ずれを抑制する。【解決手段】一対の防漏壁部（４０）を備え、吸収パッド（１００）を取り付け可能なパンツ型吸収性物品（１）であって、防漏壁部（４０）は、肌側部（４２）と非肌側部（４３）との対向面同士を接合する第１接合部（６１）と、非肌側部（４３）を吸収性本体（１０）に接合する一対の第２接合部（６２）と、を有し、パンツ型吸収性物品（１）の幅方向の中心と吸収パッド（１００）の幅方向の中心とが揃うように、パンツ型吸収性物品（１）に吸収パッド（１００）を取り付けたときに、第１接合部（６１）の内側端同士の幅方向の間隔（Ｗ６１）が、吸収パッド（１００）の幅方向の長さ（Ｗ１００）よりも短くなる部分を有し、第２接合部（６２）の内側端同士の幅方向の間隔（Ｗ６２）が、吸収パッド（１００）の幅方向の長さ（Ｗ１００）以下となる部分を有する。【選択図】図５
2020099590.tif 000002
【特許請求の範囲】
【請求項１】
展開状態において、互いに交差する長手方向と幅方向と厚さ方向とを有し、
吸収性本体と、
前記吸収性本体の前記幅方向の両側に設けられ、前記厚さ方向の肌側に起立可能な一対の防漏壁部と、を備え、
前記吸収性本体よりも前記厚さ方向の肌側に吸収パッドを取り付け可能なパンツ型吸収性物品であって、
前記一対の防漏壁部はそれぞれ、肌側部と、前記肌側部よりも前記厚さ方向の非肌側に配置された非肌側部とを有し、
前記肌側部と前記非肌側部との互いに対向する対向面同士の少なくとも一部を接合する一対の第１接合部と、
前記非肌側部の少なくとも一部を前記吸収性本体の前記肌側に接合する一対の第２接合部と、を有し、
前記パンツ型吸収性物品及び前記吸収パッドを前記長手方向及び前記幅方向に伸長させた状態で、前記パンツ型吸収性物品の前記幅方向の中心と、前記吸収パッドの前記幅方向の中心とが揃うように、前記パンツ型吸収性物品に前記吸収パッドを取り付けたときに、
前記長手方向において、前記一対の第１接合部が配置されている領域中に、前記一対の第１接合部の内側端同士の前記幅方向の間隔が、前記吸収パッドの前記幅方向の長さよりも短くなる部分を有し、
前記長手方向において、前記一対の第２接合部が配置されている領域中に、前記一対の第２接合部の内側端同士の前記幅方向の間隔が、前記吸収パッドの前記幅方向の長さ以下となる部分を有する、ことを特徴とするパンツ型吸収性物品。
【請求項２】
請求項１に記載のパンツ型吸収性物品であって、
前記長手方向において、前記第２接合部の中心は、展開状態における前記パンツ型吸収性物品の中心よりも前側に位置している、ことを特徴とするパンツ型吸収性物品。
【請求項３】
請求項１または２に記載のパンツ型吸収性物品であって、
前記長手方向において、前記第２接合部の全体が、展開状態における前記パンツ型吸収性物品の中心よりも前側に位置している、ことを特徴とするパンツ型吸収性物品。
【請求項４】
請求項１〜３のいずれか１項に記載のパンツ型吸収性物品であって、
前記吸収性本体は、吸収性コアを有し、
前記吸収性コアは、前記長手方向において前側端部及び後側端部の間の領域で、前記幅方向における長さが短くなったくびれ部を有し、
前記第２接合部は、前記長手方向において前記くびれ部と重複し、且つ、前記幅方向において前記吸収性コアよりも外側に位置している、ことを特徴とするパンツ型吸収性物品。
【請求項５】
請求項１〜４のいずれか１項に記載のパンツ型吸収性物品であって、
前記第１接合部は、前記幅方向において、前記防漏壁の先端よりも内側に位置している、ことを特徴とするパンツ型吸収性物品。
【請求項６】
請求項１〜５のいずれか１項に記載のパンツ型吸収性物品であって、
前記吸収パッドは、前記長手方向の両側に一対の粘着部を有しており、
前記第１接合部は、前記吸収パッドを前記パンツ型吸収性物品に取り付ける際に、前記長手方向において前記一対の粘着部が前記パンツ型吸収に当接する位置よりも内側に位置している、ことを特徴とするパンツ型吸収性物品。
【請求項７】
請求項１〜６のいずれか１項に記載のパンツ型吸収性物品であって、
前記幅方向において、前記一対の防漏壁部の内側端同士の間隔は、前記一対の第２接合部の内側端同士の間隔よりも狭い、ことを特徴とするパンツ型吸収性物品。
【請求項８】
請求項１〜７のいずれか１項に記載のパンツ型吸収性物品であって、
前記長手方向において、前記第１接合部と前記第２接合部とが重複する部分を有していない、ことを特徴とするパンツ型吸収性物品。
【請求項９】
請求項１〜８のいずれか１項に記載のパンツ型吸収性物品であって、
前記幅方向において、前記第２接合部の外側端と、前記防漏壁部の外側端との間には、所定の距離が設けられている、ことを特徴とするパンツ型吸収性物品。
【請求項１０】
展開状態において、互いに交差する長手方向と幅方向と厚さ方向とを有し、
吸収性本体と、
前記吸収性本体の前記幅方向の両側に設けられ、前記厚さ方向の肌側に起立可能な一対の防漏壁部と、を備え、
前記吸収性本体よりも前記厚さ方向の肌側に吸収パッドを取り付け可能なパンツ型吸収性物品であって、
前記一対の防漏壁部はそれぞれ、肌側部と、前記肌側部よりも前記厚さ方向の非肌側に配置された非肌側部とを有し、
前記肌側部と前記非肌側部との互いに対向する対向面同士の少なくとも一部を接合する一対の第１接合部と、
前記非肌側部の少なくとも一部を前記吸収性本体の前記肌側に接合する一対の第２接合部と、を有し、
前記パンツ型吸収性物品及び前記吸収パッドを前記長手方向及び前記幅方向に伸長させた状態で、前記パンツ型吸収性物品の前記幅方向の中心と、前記吸収パッドの前記幅方向の中心とが揃うように、前記パンツ型吸収性物品に前記吸収パッドを取り付けたときに、
前記幅方向における前記吸収パッドの両端部の少なくとも一部が、前記厚さ方向において前記第１接合部と前記吸収性本体との間に挟み込まれ、
前記幅方向における前記吸収パッドの両端縁が、前記幅方向において前記第２接合部と当接する、ことを特徴とするパンツ型吸収性物品。
【請求項１１】
展開状態において、互いに交差する長手方向と幅方向と厚さ方向とを有し、吸収性本体と、前記吸収性本体の前記幅方向の両側に設けられ、前記厚さ方向の肌側に起立可能な一対の防漏壁部と、を備えたパンツ型吸収性物品に対して、
前記吸収性本体よりも前記厚さ方向の肌側に吸収パッドを取り付ける、吸収パッド取り付け方法であって、
前記一対の防漏壁部はそれぞれ、肌側部と、前記肌側部よりも前記厚さ方向の非肌側に配置された非肌側部とを有し、
前記肌側部と前記非肌側部との互いに対向する対向面同士の少なくとも一部を接合する一対の第１接合部と、
前記非肌側部の少なくとも一部を前記吸収性本体の前記肌側に接合する一対の第２接合部と、を有し、
前記パンツ型吸収性物品の前記幅方向の中心と、前記吸収パッドの前記幅方向の中心とが揃うように、前記パンツ型吸収性物品に前記吸収パッドを取り付ける際に、
前記幅方向における前記吸収パッドの両端部の少なくとも一部を、前記厚さ方向において前記第１接合部と前記吸収性本体との間に挟み込み、
前記幅方向における前記吸収パッドの両端縁を、前記幅方向において前記第２接合部と当接させる、ことを特徴とする吸収パッド取り付け方法。
【発明の詳細な説明】
【技術分野】
【０００１】
本発明は、パンツ型吸収性物品、及び、吸収パッド取り付け方法に関する。
【背景技術】
【０００２】
パンツ型吸収性物品として、パンツ型使い捨ておむつが知られている。例えば、特許文献１には、吸収コアを備えた本体と、縦方向に延び且つ横方向に間隔を空けて本体に配置された防漏カフ（防漏壁）とを有するパンツ型使い捨ておむつが開示されている。
【先行技術文献】
【特許文献】
【０００３】
【特許文献１】特開２００５−２１８８７６号公報
【発明の概要】
【発明が解決しようとする課題】
【０００４】
近年、特許文献１に示されるようなパンツ型使い捨ておむつの内部に、使い捨ての吸収パッドを取り付け、排泄物を吸収した吸収パッドのみを交換することによって、パンツ型使い捨ておむつの交換頻度を少なくする使用方法が提案されている。このようにパンツ型おむつと吸収パッドとを併用することによって、使用者（着用者）がおむつを交換する労力や、経済的負担を軽減させることが可能となる。しかしながら、従来の方法では、着用者が身体を動かした場合等に、吸収パッドの位置ずれが生じやすく、排泄物が吸収パッドから漏れてしまったり、フィット性が悪化したりするといった問題が生じていた。
【０００５】
本発明は、上記のような従来の問題に鑑みてなされたものであって、その目的は、パンツ型吸収性物品と吸収パッドとを併用する際に、吸収パッドの位置ずれを抑制することにある。
【課題を解決するための手段】
【０００６】
上記目的を達成するための主たる発明は、展開状態において、互いに交差する長手方向と幅方向と厚さ方向とを有し、吸収性本体と、前記吸収性本体の前記幅方向の両側に設けられ、前記厚さ方向の肌側に起立可能な一対の防漏壁部と、を備え、前記吸収性本体よりも前記厚さ方向の肌側に吸収パッドを取り付け可能なパンツ型吸収性物品であって、前記一対の防漏壁部はそれぞれ、肌側部と、前記肌側部よりも前記厚さ方向の非肌側に配置された非肌側部とを有し、前記肌側部と前記非肌側部との互いに対向する対向面同士の少なくとも一部を接合する一対の第１接合部と、前記非肌側部の少なくとも一部を前記吸収性本体の前記肌側に接合する一対の第２接合部と、を有し、前記パンツ型吸収性物品及び前記吸収パッドを前記長手方向及び前記幅方向に伸長させた状態で、前記パンツ型吸収性物品の前記幅方向の中心と、前記吸収パッドの前記幅方向の中心とが揃うように、前記パンツ型吸収性物品に前記吸収パッドを取り付けたときに、前記長手方向において、前記一対の第１接合部が配置されている領域中に、前記一対の第１接合部の内側端同士の前記幅方向の間隔が、前記吸収パッドの前記幅方向の長さよりも短くなる部分を有し、前記長手方向において、前記一対の第２接合部が配置されている領域中に、前記一対の第２接合部の内側端同士の前記幅方向の間隔が、前記吸収パッドの前記幅方向の長さ以下となる部分を有する、ことを特徴とするパンツ型吸収性物品である。
本発明の他の特徴については、本明細書及び添付図面の記載により明らかにする。
【発明の効果】
【０００７】
本発明によれば、パンツ型吸収性物品と吸収パッドとを併用する際に、吸収パッドの位置ずれを生じ難くすることができる。
【図面の簡単な説明】
【０００８】
【図１】パンツ型使い捨ておむつ１の正面図である。
【図２】展開且つ伸長状態のおむつ１の概略平面図である。
【図３】図３Ａは、図２のＡ−Ａ線における概略断面図である。図３Ｂは、図２のＢ−Ｂにおける概略断面図である。図３Ｃは、図２のＣ−Ｃにおける概略断面図である。
【図４】吸収パッド１００の概略平面図、及び概略断面図である。
【図５】展開且つ伸長状態のおむつ１に吸収パッド１００を取り付けた状態について表す概略平面図である。
【図６】図６Ａは、図５のＤ−Ｄ線における概略断面図である。図６Ｂは、図５のＥ−Ｅ線における概略断面図である。
【発明を実施するための形態】
【０００９】
本明細書及び添付図面の記載により、少なくとも以下の事項が明らかとなる。
展開状態において、互いに交差する長手方向と幅方向と厚さ方向とを有し、吸収性本体と、前記吸収性本体の前記幅方向の両側に設けられ、前記厚さ方向の肌側に起立可能な一対の防漏壁部と、を備え、前記吸収性本体よりも前記厚さ方向の肌側に吸収パッドを取り付け可能なパンツ型吸収性物品であって、前記一対の防漏壁部はそれぞれ、肌側部と、前記肌側部よりも前記厚さ方向の非肌側に配置された非肌側部とを有し、前記肌側部と前記非肌側部との互いに対向する対向面同士の少なくとも一部を接合する一対の第１接合部と、前記非肌側部の少なくとも一部を前記吸収性本体の前記肌側に接合する一対の第２接合部と、を有し、前記パンツ型吸収性物品及び前記吸収パッドを前記長手方向及び前記幅方向に伸長させた状態で、前記パンツ型吸収性物品の前記幅方向の中心と、前記吸収パッドの前記幅方向の中心とが揃うように、前記パンツ型吸収性物品に前記吸収パッドを取り付けたときに、前記長手方向において、前記一対の第１接合部が配置されている領域中に、前記一対の第１接合部の内側端同士の前記幅方向の間隔が、前記吸収パッドの前記幅方向の長さよりも短くなる部分を有し、前記長手方向において、前記一対の第２接合部が配置されている領域中に、前記一対の第２接合部の内側端同士の前記幅方向の間隔が、前記吸収パッドの前記幅方向の長さ以下となる部分を有する、ことを特徴とするパンツ型吸収性物品である。
【００１０】
このようなパンツ型吸収性物品によれば、吸収パッドを取り付けた際に、吸収パッドの幅方向の端部のうち少なくとも一部を、一対の第１接合部（防漏壁部）と吸収性本体との間に挿入することが可能となり、該第１接合部によって、吸収パッドの厚さ方向への移動が規制される。また、吸収パッドの幅方向の外側端（エッジ）が、一対の第２接合部によって、幅方向の両側から挟まれ、吸収パッドの幅方向への移動が規制される。これにより、吸収パッドの位置ずれを生じ難くすることができる。
【００１１】
かかるパンツ型吸収性物品であって、前記長手方向において、前記第２接合部の中心は、展開状態における前記パンツ型吸収性物品の中心よりも前側に位置している、ことが望ましい。
【００１２】
このようなパンツ型吸収性物品によれば、着用時に、着用者の両脚からの力が作用しやすい長手方向前側の領域において、第２接合部によって吸収パッドが幅方向の両側から挟み込まれる。したがって、当該領域において吸収パッドが幅方向にずれることが抑制され、着用者が身体（両脚）を動かした場合であっても吸収パッドの位置ずれが生じ難くなる。
【００１３】
かかるパンツ型吸収性物品であって、前記長手方向において、前記第２接合部の全体が、展開状態における前記パンツ型吸収性物品の中心よりも前側に位置している、ことが望ましい。
【００１４】
このようなパンツ型吸収性物品によれば、長手方向前側の領域における吸収パッドの位置ずれをより抑制しやすくなる。したがって、着用者がパンツ型吸収性物品を着用した状態で歩行したり大きく脚を動かしたりした場合であっても、吸収パッドの位置ずれを効果的に抑制することができる。
【００１５】
かかるパンツ型吸収性物品であって、前記吸収性本体は、吸収性コアを有し、前記吸収性コアは、前記長手方向において前側端部及び後側端部の間の領域で、前記幅方向における長さが短くなったくびれ部を有し、前記第２接合部は、前記長手方向において前記くびれ部と重複し、且つ、前記幅方向において前記吸収性コアよりも外側に位置している、ことが望ましい。
【００１６】
このようなパンツ型吸収性物品によれば、吸収性コアにくびれ部を設けることにより、着用者の脚の動きが妨げられ難くなる。また、くびれ部と第２接合部の位置関係を調整することで、該くびれ部が設けられた領域において着用者が大きく脚を動かした場合であっても、第２接合部によって吸収パッドの位置ずれを効果的に抑制することができる。
【００１７】
かかるパンツ型吸収性物品であって、前記第１接合部は、前記幅方向において、前記防漏壁の先端よりも内側に位置している、ことが望ましい。
【００１８】
このようなパンツ型吸収性物品によれば、防漏壁部の先端よりも幅方向内側の領域において、第１接合部によって防漏壁部の強度を高めることができる。これにより、吸収パッドを取り付ける際に、防漏壁部によって吸収パッドの幅方向の端部を安定して抑えることができる。したがって、吸収パッドが離脱してしまうことを抑制しやすくなる。
【００１９】
かかるパンツ型吸収性物品であって、前記吸収パッドは、前記長手方向の両側に一対の粘着部を有しており、前記第１接合部は、前記吸収パッドを前記パンツ型吸収性物品に取り付ける際に、前記長手方向において前記一対の粘着部が前記パンツ型吸収に当接する位置よりも内側に位置している、ことが望ましい。
【００２０】
このようなパンツ型吸収性物品によれば、吸収パッドの長手方向両端部において粘着部が設けられている部分では、吸収パッドがパンツ型吸収性物品の肌側に貼付されてしっかりと固定される。また、吸収パッドの長手方向において粘着部の間の領域では、第１接合部（防漏壁部）によって吸収パッドの幅方向の端部が肌側から抑えられる。したがって、吸収パッドの長手方向の全体に亘って、位置ずれを生じ難くすることができる。
【００２１】
かかるパンツ型吸収性物品であって、前記幅方向において、前記一対の防漏壁部の内側端同士の間隔は、前記一対の第２接合部の内側端同士の間隔よりも狭い、ことが望ましい。
【００２２】
このようなパンツ型吸収性物品によれば、吸収パッドを取り付けた際に、吸収パッドの幅方向における両端部が、一対の第２接合部によって幅方向から挟まれ、かつ、防漏壁部の内側端によって肌側から覆われやすくなる。したがって、吸収パッドの位置ずれをより抑制しやすくすることができる。
【００２３】
かかるパンツ型吸収性物品であって、前記長手方向において、前記第１接合部と前記第２接合部とが重複する部分を有していない、ことが望ましい。
【００２４】
このようなパンツ型吸収性物品によれば、第１接合部によって防漏壁部の起立高さが制限される部分と、第２接合部によって防漏壁部の起立高さが制限される部分とが長手方向についてずれていることにより、防漏壁部の起立高さが大きく制限されてしまうことが抑制される。したがって、吸収パッドの位置ずれを抑制しつつ、パンツ型吸収性物品のフィット性の悪化や排泄物の横漏れ等を生じ難くすることができる。
【００２５】
かかるパンツ型吸収性物品であって、前記幅方向において、前記第２接合部の外側端と、前記防漏壁部の外側端との間には、所定の距離が設けられている、ことが望ましい。
【００２６】
このようなパンツ型吸収性物品によれば、幅方向において、防漏壁部の外側端に、所謂ドライエッジが形成される。したがって、パンツ型吸収性物品の着用時において、着用者の肌（脚）と直接接触する可能性が高い防漏壁部の外側端における肌当たりがソフトになり、着用者に不快感を与え難くすることができる。
【００２７】
また、展開状態において、互いに交差する長手方向と幅方向と厚さ方向とを有し、吸収性本体と、前記吸収性本体の前記幅方向の両側に設けられ、前記厚さ方向の肌側に起立可能な一対の防漏壁部と、を備え、前記吸収性本体よりも前記厚さ方向の肌側に吸収パッドを取り付け可能なパンツ型吸収性物品であって、前記一対の防漏壁部はそれぞれ、肌側部と、前記肌側部よりも前記厚さ方向の非肌側に配置された非肌側部とを有し、前記肌側部と前記非肌側部との互いに対向する対向面同士の少なくとも一部を接合する一対の第１接合部と、前記非肌側部の少なくとも一部を前記吸収性本体の前記肌側に接合する一対の第２接合部と、を有し、前記パンツ型吸収性物品及び前記吸収パッドを前記長手方向及び前記幅方向に伸長させた状態で、前記パンツ型吸収性物品の前記幅方向の中心と、前記吸収パッドの前記幅方向の中心とが揃うように、前記パンツ型吸収性物品に前記吸収パッドを取り付けたときに、前記幅方向における前記吸収パッドの両端部の少なくとも一部が、前記厚さ方向において前記第１接合部と前記吸収性本体との間に挟み込まれ、前記幅方向における前記吸収パッドの両端縁が、前記幅方向において前記第２接合部と当接する、ことを特徴とするパンツ型吸収性物品が明らかとなる。
【００２８】
このようなパンツ型吸収性物品によれば、吸収パッドを取り付けた際に、吸収パッドの幅方向の端部のうち少なくとも一部を、一対の第１接合部（防漏壁部）と吸収性本体との間に挿入することが可能となり、該第１接合部によって、吸収パッドの厚さ方向への移動が規制される。また、吸収パッドの幅方向の外側端（エッジ）が、一対の第２接合部によって、幅方向の両側から挟まれ、吸収パッドの幅方向への移動が規制される。これにより、吸収パッドの位置ずれを生じ難くすることができる。
【００２９】
また、展開状態において、互いに交差する長手方向と幅方向と厚さ方向とを有し、吸収性本体と、前記吸収性本体の前記幅方向の両側に設けられ、前記厚さ方向の肌側に起立可能な一対の防漏壁部と、を備えたパンツ型吸収性物品に対して、前記吸収性本体よりも前記厚さ方向の肌側に吸収パッドを取り付ける、吸収パッド取り付け方法であって、前記一対の防漏壁部はそれぞれ、肌側部と、前記肌側部よりも前記厚さ方向の非肌側に配置された非肌側部とを有し、前記肌側部と前記非肌側部との互いに対向する対向面同士の少なくとも一部を接合する一対の第１接合部と、前記非肌側部の少なくとも一部を前記吸収性本体の前記肌側に接合する一対の第２接合部と、を有し、前記パンツ型吸収性物品の前記幅方向の中心と、前記吸収パッドの前記幅方向の中心とが揃うように、前記パンツ型吸収性物品に前記吸収パッドを取り付ける際に、前記幅方向における前記吸収パッドの両端部の少なくとも一部を、前記厚さ方向において前記第１接合部と前記吸収性本体との間に挟み込み、前記幅方向における前記吸収パッドの両端縁を、前記幅方向において前記第２接合部と当接させる、ことを特徴とする吸収パッド取り付け方法が明らかとなる。
【００３０】
このような吸収パッド取り付け方法によれば、吸収パッドを取り付ける際に、吸収パッドの幅方向の端部のうち少なくとも一部を、一対の第１接合部（防漏壁部）と吸収性本体との間に挿入することが可能となり、該第１接合部によって、吸収パッドの厚さ方向への移動が規制される。また、吸収パッドの幅方向の外側端（エッジ）が、一対の第２接合部によって、幅方向の両側から挟まれ、吸収パッドの幅方向への移動が規制される。これにより、吸収パッドの位置ずれを生じ難くすることができる。
【００３１】
＝＝＝実施形態＝＝＝
以下、本発明に係るパンツ型吸収性物品として、大人用のパンツ型使い捨ておむつ１（以下、単に「おむつ１」とも呼ぶ）を例に挙げて実施形態を説明する。但し、本発明に係るおむつ１は、乳幼児用のパンツ型使い捨ておむつや、生理用ショーツ等としても利用可能である。
【００３２】
＜パンツ型使い捨ておむつ１の構成＞
図１は、パンツ型使い捨ておむつ１（おむつ１）の正面図である。図２は、展開且つ伸長状態のおむつ１の概略平面図である。図３Ａは、図２のＡ−Ａ線における概略断面図である。図３Ｂは、図２のＢ−Ｂにおける概略断面図である。図３Ｃは、図２のＣ−Ｃにおける概略断面図である。なお、「伸長状態」とは、おむつ１を構成する各部材を皺なく伸長させた状態である。具体的には、おむつ１を構成する部材（例えば、後述するシート部材１４等）の寸法がその部材単体の寸法と一致又はそれに近い長さになるまで伸長させた状態である。
【００３３】
おむつ１は、図１のパンツ型状態において、互いに交差する上下方向と左右方向と前後方向とを有し、胴回り開口部ＢＨと一対の脚回り開口部ＬＨとが形成されている。上下方向の上側が胴回り開口部ＢＨ側に対応し、下側が股下側に対応する。また、前後方向の前側が着用者の腹側に対応し、後側が着用者の背側に対応する。また、図２のように展開した状態において、おむつ１は、互いに交差する長手方向と、幅方向と、厚さ方向とを有する。以下では、この展開状態における長手方向の一方側のことを「腹側」若しくは「前側」とも呼び、長手方向の他方側のことを「背側」若しくは「後側」とも呼ぶ。なお、展開状態における上記の幅方向は、パンツ型状態における上記の左右方向と同じ方向である。展開状態の長手方向は、パンツ型状態の上下方向に沿った方向である。また、厚さ方向は、図３Ａ及び図３Ｂに示すように、おむつ１を構成する資材が積層された方向である。厚さ方向において着用者に接する側を肌側とし、その反対側を非肌側とする。
【００３４】
おむつ１は、吸収性本体１０と、腹側胴回り部２０と、背側胴回り部３０とを有する。パンツ型状態のおむつ１において、吸収性本体１０（後述の吸収性コア１１）は上下方向に沿って配置されており、上下方向の下端部にて前後に折り曲げられている。前後方向の前側の吸収性本体１０の上端部に、非肌側から腹側胴回り部２０が接合され、前後方向の後側の吸収性本体１０の上端部に、非肌側から背側胴回り部３０が接合されている。
【００３５】
図２の展開状態のおむつ１において、腹側胴回り部２０及び背側胴回り部３０は、それらの長辺方向がおむつ１の左右方向に沿うように配置されている。そして、左右方向における腹側胴回り部２０の中央部に、吸収性本体１０の長手方向の一方側（前側）の端部が配置され、左右方向における背側胴回り部３０の中央部に、吸収性本体１０の長手方向の他方側（後側）の端部が配置されている。図２の展開状態から、吸収性本体１０が長手方向の略中央で二つ折りされ、左右方向における腹側胴回り部２０の両側部と、左右方向における背側胴回り部３０の両側部とが、溶着等で接合されることにより、パンツ型状態のおむつ１となる。
【００３６】
吸収性本体１０は、左右方向の両側部において、その長手方向（おむつ１の上下方向）に伸縮する側部弾性部材４１を備えている。また、吸収性本体１０は、左右方向の両側部において、その長手方向に沿う一対の防漏壁部４０を備えている。防漏壁部４０は、側部弾性部材４１によって肌側に起立可能である。
【００３７】
また、吸収性本体１０は、排泄液を吸収する吸収性コア１１と、吸収性コア１１よりも着用者の肌側に配置された液透過性の肌側シート１２と、吸収性コア１１よりも非肌側に配置された液不透過性の非肌側シート１３と、シート部材１４とを有する。肌側シート１２は、吸収性コア１１を巻き込むように、左右方向の両側部が非肌側に折り返されている。シート部材１４は、非肌側シート１３よりも非肌側に配置されるとともに、肌側シート１２よりも肌側において防漏壁部４０を形成している。
【００３８】
吸収性コア１１は、高吸収性ポリマー（所謂ＳＡＰ）を含むパルプ繊維等の液体吸収性繊維を所定形状に成形したものである。本実施形態の吸収性コア１１は平面視略砂時計形状であるが、これに限らず、例えば平面視矩形状等であっても良い。また、吸収性コア１１は、液透過性のコアラップシート１５で被覆されていても良い。
【００３９】
腹側胴回り部２０及び背側胴回り部３０は、それぞれ、内層シート２１，３１と、内層シート２１，３１よりも非肌側に配置された外層シート２２，３２と、胴回り弾性部材２３，３３とを有する。胴回り弾性部材２３，３３は、内層シート２１，３１と外層シート２２，３２の間において、上下方向に並んで配置されるとともに、左右方向に伸長状態で固定されている。よって、腹側胴回り部２０及び背側胴回り部３０は、着用者の胴回りにフィットする。また、吸収性本体１０の上端部を肌側から覆うカバーシートが設けられていても良い。
【００４０】
図２の展開且つ伸長状態において、腹側胴回り部２０は平面視矩形状である。背側胴回り部３０は、前後方向において腹側胴回り部２０と重複する重複部３０Ａと、腹側胴回り部２０よりも下側に延出する延出部３０Ｂとを有する。重複部３０Ａは平面視矩形状であり、延出部３０Ｂは平面視逆台形状である。延出部３０Ｂによって着用者の臀部を被覆できる。一方、腹側胴回り部２０は、背側胴回り部３０に比べて上下方向の長さが短く、股下側まで延びていない。そのため、歩行時等に腹側に引き上げられる脚の動きが阻害されず、歩行しやすい。
【００４１】
また、背側胴回り部３０の延出部３０Ｂには、その下端に沿って延出部弾性部材３５が設けられている。延出部弾性部材３５は、胴回り弾性部材３３と同様に、内層シート３１と外層シート３２の間において伸長状態で固定されている。延出部弾性部材３５によって、延出部３０Ｂは着用者の臀部にフィットし、延出部３０Ｂのめくれを抑えられる。
【００４２】
＜防漏壁部４０について＞
一対の防漏壁部４０は、それぞれ、吸収性本体１０の外装を構成するシート部材１４が折り畳まれることによって吸収性本体１０と一体的に形成されている。但し、防漏壁部４０がそれぞれ吸収性本体１０とは異なる部材によって形成されているのであっても良い。防漏壁部４０は、図３に示される折り曲げ線ｆ１にてシート部材１４が幅方向の外側から内側に折り曲げられ、折り曲げ線ｆ２にて同シート部材１４が幅方向の内側から外側に折り返されことによって形成されている。以下では、防漏壁部４０のうち、折り曲げ線ｆ２にて幅方向の内側から外側に折り返され、厚さ方向の肌側に位置している部分を「肌側部４２」とも呼び、肌側部４２よりも厚さ方向の非肌側に位置している部分を「非肌側部４３」とも呼ぶ。また、肌側部４２の幅方向の外側端を防漏壁部４０の先端４２ａとする。
【００４３】
図３Ａ〜図３Ｃに示されるように、本実施形態の防漏壁部４０は、シート部材１４が厚さ方向に重ね合わされた２層の積層構造を有している。そして、肌側部４２を構成する２層のシート部材１４の間には、４本の側部弾性部材４１Ａ（４１）が左右方向に並んで設けられている。４本の側部弾性部材４１Ａは、幅方向の外側端（先端４２ａ）に寄って配置されている。また、非肌側部４３を構成する２層のシート部材１４の間には、２本の側部弾性部材４１Ｂ（４１）が左右方向に並んで設けられている。２本の側部弾性部材４１Ｂは、幅方向の内側端に寄って配置されている。但し、側部弾性部材４１Ａ，４１Ｂの配置や数量はこの限りではない。
【００４４】
防漏壁部４０は、長手方向の前側端部において、ホットメルト接着剤等の接着材によって形成された一対の前側端部固定部５１によって吸収性本体１０の肌側に起立不能に固定されている。前側端部固定部５１は、図３Ａに示すように、防漏壁部４０の肌側部４２と非肌側部４３の間を固定する肌側固定部５１１と、防漏壁部４０の非肌側部４３と肌側シート１２の間を接着剤等で固定する非肌側固定部５１２とを有している。
【００４５】
同様に、防漏壁部４０は、長手方向の後側端部において、ホットメルト接着剤等の接着材によって形成された一対の後側端部固定部５２によって吸収性本体１０の肌側に起立不能に固定されている。したがって、長手方向において、前側端部固定部５１と後側端部固定部５２の間のシート部材１４の部位が、防漏壁部４０の起立可能な部位となる。
【００４６】
また、一対の防漏壁部４０のうち互いに対向する肌側部４２の非肌側面及び非肌側部４３の肌側面の一部の領域が、一対の第１接合部６１によって互いに接合されている。第１接合部６１は、防漏壁部４０の幅方向の内側端部において、長手方向に沿ってホットメルト接着剤等の接着材を塗布することによって形成されている（図２及び図３Ｂ参照）。当該第１接合部６１によって肌側部４２と非肌側部４３との対抗面同士が接合されていることにより、おむつ１の着用時に、防漏壁部４０の肌側部４２が平面（曲面）形状を維持しやすく、着用者の身体に面でフィットしやすくなる。
【００４７】
また、一対の防漏壁部４０のうち非肌側部４３の非肌側面の一部の領域は、一対の第２接合部６２によって吸収性本体１０（肌側シート１２）の肌側に接合されている。図２に示されるように、第２接合部６２は、長手方向において腹側と背側とにそれぞれ配置されている２つの第１接合部６１，６１の間の領域に、ホットメルト接着剤等の接着材を塗布することによって形成されている（図２及び図３Ｃ参照）。第２接合部６２が設けられている領域では、おむつ１着用時において、第２接合部６２が設けられていない領域と比較して、防漏壁部４０が肌側に起立可能な高さが制限される。したがって、この第２接合部６２が設けられている領域では、着用者の身体と吸収性本体１０との距離が近くなり、着用者の身体に対する吸収性本体１０のフィット性を維持しやすくすることができる。
【００４８】
＜吸収パッド１００について＞
続いて、おむつ１と併用可能な吸収パッド１００について説明する。吸収パッド１００は尿等の排泄物を吸収する機能を有し、おむつ１の吸収性本体１０の肌側に着脱自在に取り付け可能である。
【００４９】
図４は、吸収パッド１００の概略平面図、及びその断面を表す概略図である。吸収パッド１００は、図４のように平面視略長方形状の吸収性物品であり、その長辺方向を長手方向、短辺方向を幅方向とする。吸収パッド１００の長手方向及び幅方向は、図２におけるおむつ１の長手方向及び幅方向と共通の方向である。また、吸収パッド１００は、長手方向及び幅方向と互いに直交する厚さ方向を有している。但し、吸収パッド１００形状は長方形に限られるものではなく、長手方向の所定位置において幅方向の長さ（幅）が変動していても良い。
【００５０】
吸収パッド１００は、防漏壁部４０に相当する部位を有していないこと以外は、おむつ１の吸収性本体１０と略同様の構成を有する。図４において、吸収パッド１００は、排泄液を吸収する液吸収性の吸収体１１１と、吸収体１１１よりも厚さ方向の肌側に配置された液透過性の肌側シート１１２と、吸収体１１１よりも厚さ方向の非肌側に配置された液不透過性の非肌側シート１１３と、シート部材１１４とを有する。吸収体１１１、肌側シート１１２、非肌側シート１１３、及びシート部材１１４は、各々、吸収性本体１０の吸収性コア１１、肌側シート１２、非肌側シート１３、及びシート部材１４と略同様の構成であるため、ここでは説明を省略する。なお、図４では示されていないが、シート部材１１４やその他の部材によって、吸収パッド１００に、おむつ１の防漏壁部４０に相当する防漏壁部が設けられていても良い。
【００５１】
また、吸収パッド１００の厚さ方向における非肌側面には、長手方向の両端部に粘着部１１５が設けられている。粘着部１１５は、ホットメルト接着剤等の接着材が塗布された領域であり、おむつ１に吸収パッド１００を取り付けて使用する際には、この粘着部１１５をおむつ１の肌側面に貼付することにより、おむつ１に対する吸収パッド１００の位置ずれを抑制する。なお、吸収パッド１００の未使用時には、粘着部１１５が、不図示の保護シートによって非肌側から覆われることにより、該粘着部１１５の粘着性が失われないようにしておくことが望ましい。
【００５２】
＜吸収パッド１００の取り付け方法＞
図５は、展開且つ伸長状態のおむつ１に吸収パッド１００を取り付けた状態について表す概略平面図である。図６Ａは、図５のＤ−Ｄ線における概略断面図である。図６Ｂは、図５のＥ−Ｅ線における概略断面図である。なお、図５では、おむつ１の幅方向における中心と、吸収パッド１００の幅方向における中心とが揃うように、おむつ１に吸収パッド１００を取り付けた状態を表している。
【００５３】
おむつ１に吸収パッド１００を取り付ける際には、先ず、おむつ１の吸収性本体１０の肌側に、幅方向における中心位置が揃うように吸収パッド１００を重ねて配置する。そして、長手方向両端部に設けられた粘着部１１５をおむつ１（吸収性本体１０）の肌側に貼付し、おむつ１の長手方向に対して吸収パッド１００の位置がずれないように固定する。
【００５４】
続いて、吸収パッド１００の幅方向両側の端部１００ｅｒを、一対の防漏壁部４０の非肌側部４３と、吸収性本体１０の肌側面との間の空間に挿入する。すなわち、図６Ａに示されるように、吸収パッド１００の幅方向における端部１００ｅｒが、厚さ方向において、第１接合部６１と吸収性本体１０（肌側シート１２）との間に挟み込まれるようにする。本実施形態では、長手方向において、一対の第１接合部６１が配置されている領域中に、第１接合部６１の幅方向における内側端６１ｅｉ同士の間隔Ｗ６１が、吸収パッド１００の幅方向における長さ（幅）Ｗ１００よりも短くなる部分を有している（Ｗ６１＜Ｗ１００）。したがって、吸収パッド１００の幅方向の端部１００ｅｒのうち少なくとも一部を、第１接合部６１と吸収性本体１０との厚さ方向の間に挟み込まれた状態とすることができる。これにより、吸収パッド１００の厚さ方向への移動が、おむつ１の防漏壁部４０（第１接合部６１）によって規制され、吸収パッド１００がおむつ１から厚さ方向の肌側へ離脱してしまうことが抑制される。
【００５５】
なお、本実施形態では、防漏壁部４０の肌側部４２と非肌側部４３とが第１接合部６１によって互いに接合されているため、当該第１接合部６１が設けられている領域における防漏壁部４０の強度が高くなっている。また、第１接合部６１と厚さ方向に重複する位置に配置されている側部弾性部材４１が発現する伸縮力によって、吸収パッド１００の幅方向における端部１００ｅｒが厚さ方向の肌側に押しこまれやすくなっている。これにより、第１接合部６１が設けられている領域にて、吸収パッド１００の厚さ方向への移動をしっかりと抑制することができる。
【００５６】
最後に、防漏壁部４０の一対の第２接合部６２によって、幅方向の両側から挟まれるように吸収パッド１００の位置を固定する。すなわち、図６Ｂに示されるように、吸収パッド１００の幅方向における外側端１００ｅｏ（すなわち、吸収パッド１００の幅方向におけるエッジ）を、一対の第２接合部６２の幅方向における内側端６２ｅｉと当接させる。本実施形態では、長手方向において、第２接合部６２が配置されている領域中に、一対の第２接合部６２の幅方向における内側端６２ｅｉ同士の間隔Ｗ６２が、吸収パッド１００の幅方向における長さ（幅）Ｗ１００と同じ、若しくはＷ１００よりも短くなる部分を有している（Ｗ６２≦Ｗ１００）。したがって、吸収パッド１００の幅方向における外側端１００ｅｏのうち少なくとも一部を、第２接合部６２の幅方向における内側端６２ｅｉと当接させることができる。これにより、吸収パッド１００の幅方向への移動が第２接合部６２によって規制され、吸収パッド１００が幅方向にずれてしまうことを抑制することができる。
【００５７】
なお、吸収パッド１００の幅Ｗ１００が、一対の第２接合部６２の幅方向における間隔Ｗ６２より長い場合には、図６Ｂのように吸収パッド１００の幅方向における端部１００ｅｒの一部が幅方向に圧縮されて潰れた状態となる。すなわち、一対の第２接合部６２によって、吸収パッド１００が幅方向の両側から圧縮された状態となる。この場合、吸収パッド１００の幅方向への移動がより制限されやすく、位置ずれがより抑制されやすくなる。
【００５８】
このようにして吸収パッド１００を取り付けることにより、おむつ１の長手方向、幅方向、厚さ方向の各々に対する吸収パッド１００の移動が規制される。したがって、着用者が身体を動かした場合であっても、吸収パッド１００の位置ずれが生じ難くなり、排泄物の漏れやフィット性の悪化を抑制することができる。なお、図５に示されるように、おむつ１に吸収パッド１００を取り付けた状態において、吸収パッド１００の長手方向の両外側には、それぞれ前側端部固定部５１及び後側端部固定部５２が設けられている。したがって、仮に吸収パッド１００に粘着部１１５が設けられていない場合であっても、吸収パッド１００は、前側端部固定部５１及び後側端部固定部５２によって長手方向における移動が規制され、長手方向への位置ずれを抑制することが可能である。
【００５９】
また、図５に示されるように、展開状態のおむつ１の長手方向において、第２接合部６２の中心ＣＬ６２は、おむつ１の中心ＣＬよりも前側（腹側）に位置している。すなわち、第２接合部６２はおむつ１の前側寄りに設けられている。この長手方向における前側の領域は、おむつ１の着用時に着用者の両脚の間（鼠蹊部）に挟まれる領域であり、歩行等の際に着用者が脚を前側に動かす度に両脚からの力が作用することによって、おむつ１に取り付けられた吸収パッド１００の位置ずれが生じやすい領域ある。これに対して、本実施形態のおむつ１では、両脚からの力が作用しやすい領域に設けられた第２接合部６２によって吸収パッド１００が幅方向の両側から挟み込まれることにより、当該領域において吸収パッド１００が幅方向（左右方向）にずれることが抑制される。
【００６０】
さらに、本実施形態では、長手方向において、第２接合部６２の全体がおむつ１の中心ＣＬよりも前側（腹側）に位置している。言い換えると、第２接合部の長手方向における後側端６２ｅｂがおむつ１の中心ＣＬよりも前側に位置している。これにより、長手方向前側の領域における吸収パッド１００の幅方向のずれをより抑制しやすくなる。したがって、着用者がおむつ１を着用した状態で歩行したり大きく脚を動かしたりした場合であっても、おむつ１に取り付けられた吸収パッド１００の位置ずれを効果的に抑制することができる。
【００６１】
また、おむつ１の吸収性コア１１は、長手方向の前側端部１１ｆ及び後側端部１１ｂとの間の領域において、幅方向にくびれた「くびれ部１１ｃ」を有している（図５参照）。すなわち、吸収性コア１１の長手方向前側端部１１ｆ（後側端部１１ｂ）における幅方向の長さ（幅）Ｗ１１ｆ（Ｗ１１ｂ）の最大値よりも、くびれ部１１ｃにおける幅方向の長さ（幅）Ｗ１１ｃの方が狭くなっている。上述したように、吸収性コア１１は液体吸収性繊維によって形成されているため、吸収性本体１０の他の部位（例えば肌側シート１２等）よりも剛性が高くなっている。そこで、長手方向の中心ＣＬ付近の領域（すなわち着用者の股下部）において幅Ｗ１１ｃを狭くすることによって、剛性の高い吸収性コア１１の幅方向両端部が着用者の鼠蹊部に当たり難くすることで、脚を動きやすくすると共に、着用者に不快感を生じさせ難くしている。
【００６２】
そして、おむつ１の第２接合部６２は、長手方向においてくびれ部１１ｃと重複し、且つ、幅方向において吸収性コア１１よりも外側に位置するように配置されている。長手方向においてくびれ部１１ｃと重複し、且つ、幅方向において吸収性コア１１よりも外側の領域は、おむつ１の着用時において着用者の両脚の間に挟まれることにより幅方向の圧縮力を受けて変形しやすい領域である。したがって、吸収パッド１００を併用する場合に、当該領域において吸収パッド１００の位置ずれが生じやすくなるおそれがある。これに対して、本実施形態では、当該領域において第２接合部６２が設けられていることにより、吸収パッド１００の左右方向の移動を抑制することができる。つまり、吸収性コア１１にくびれ部１１ｃを設けることにより、着用者の脚の動きが妨げられ難くなり、また、くびれ部１１ｃと第２接合部６２の位置関係を調整することにより、着用者が脚を動かした場合であっても吸収パッド１００の位置ずれを抑制することができる。
【００６３】
また、第１接合部６１は、幅方向において、防漏壁部４０（肌側部４２）の先端４２ａよりも内側に位置している。肌側部４２のうち幅方向内側端部の領域は、おむつ１に吸収パッド１００を取り付ける際に、吸収パッド１００の幅方向の端部１００ｅｒを肌側から抑える領域である（図６Ａ参照）。そこで、当該内側端部付近（すなわち先端４２ａよりも幅方向内側の領域）において、第１接合部６１によって肌側部４２と非肌側部４３とを接合して防漏壁部４０の強度を高めることにより、吸収パッド１００を安定して抑えることができる。これにより、吸収パッド１００がおむつ１から離脱してしまうことを抑制しやすくすることができる。
【００６４】
また、図５のようにおむつ１に吸収パッド１００を取り付ける際に、第１接合部６１は、長手方向において、吸収パッド１００の両端部に設けられた粘着部１１５，１１５がおむつ１と当接する部分よりも内側に位置している。すなわち、長手方向において、吸収パッド１００の前側端部及び後側端部に設けられた一対の粘着部１１５，１１５の間の領域に第１接合部６１が位置している。おむつ１に吸収パッド１００を取り付ける場合、吸収パッド１００のうち粘着部１１５が設けられている部分では、吸収パッド１００がおむつ１の肌側に貼付されて固定される。一方、吸収パッド１００の長手方向において粘着部１１５，１１５の間の領域では、おむつ１に対して吸収パッド１００が貼付されておらず、位置ずれが生じるおそれがある。そこで、本実施形態では、粘着部１１５，１１５の間の領域に第１接合部６１を設けることによって、当該領域において、図６Ａのように吸収パッド１００の幅方向の端部１００ｅｒが防漏壁部４０によって肌側から抑えられるようにしている。これにより、吸収パッド１００のうち粘着部１１５が設けられていない領域でも、吸収パッド１００の位置ずれや離脱を抑制することができる。すなわち、吸収パッド１００の全体に亘って、位置ずれを生じ難くすることができる。
【００６５】
また、おむつ１では、図６Ｂに示されるように、幅方向において、一対の防漏壁部４０の内側端４０ｅｉ同士の間隔Ｗ４０が、一対の第２接合部６２の内側端６２ｅｉ同士の間隔Ｗ６２よりも狭くなっている（Ｗ４０＞Ｗ６２）。このような構成であれば、吸収パッド１００を取り付けた際に、吸収パッド１００の幅方向における両端部１００ｅｒ，１００ｅｒが、一対の第２接合部６２，６２によって幅方向から挟まれ、防漏壁部４０の内側端４０ｅｉによって肌側から覆われやすくなる。したがって、吸収パッド１００の位置ずれをより抑制しやすくすることができる。
【００６６】
また、長手方向において、第１接合部６１と第２接合部６２とは重複する部分を有していない。すなわち、第１接合部６１と第２接合部６２とは、長手方向において互いにずれた位置に設けられている。本実施形態の防漏壁部４０は、第１接合部６１が設けられている部分において、肌側部４２と非肌側部４３とが接合されているため、起立高さが制限される。そして、第２接合部６２が設けられている部分において、肌非肌側部４３が吸収性本体１０（肌側シート１２）と接合されているため、起立高さが制限される。したがって、仮に、第１接合部６１と第２接合部６２とが、長手方向における同じ位置に形成されていた場合、その位置における防漏壁部４０の起立高さが２重に制限され、おむつ１の着用時において、フィット性が悪化したり排泄物の横漏れが生じやすくなったりするおそれがある。これに対して、本実施形態では、第１接合部６１と第２接合部６２とが長手方向において、重複して設けられていないため、防漏壁部４０の起立高さが大きく制限されてしまうことが抑制される。したがって、フィット性の悪化や排泄物の横漏れ等を抑制しやすくすることができる。
【００６７】
また、幅方向において、第２接合部６２の外側端６２ｅｏと、防漏壁部４０の外側端４０ｅｏとの間には、所定の距離ｄが設けられている。すなわち、幅方向において、防漏壁部４０の外側端４０ｅｏには第２接合部６２を形成する接着剤が設けられておらず、所謂ドライエッジとなっている。防漏壁部４０の外側端４０ｅｏは、おむつ１の着用時において着用者の肌（脚）と直接接触する可能性が高い部位である。したがって、当該外側端４０ｅｏをドライエッジとすることで、着用時における肌当たりがソフトになり、着用者に不快感を与え難くすることができる。
【００６８】
＝＝＝その他の実施の形態＝＝＝
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのはいうまでもない。
【００６９】
上記の実施形態では、腹側胴回り部２０と背側胴回り部３０が分離されて別部材であるおむつを例示したが、腹側胴回り部２０と背側胴回り部３０の間に股下部が設けられ、腹側胴回り部２０と背側胴回り部３０が連続した一部材であっても良い。
【００７０】
上述の実施形態では、防漏壁部４０に設けられた第１接合部６１、第２接合部６２等の各種接合部が、接着材を用いた接着手段によって形成されていたが、接合部の形成方法はこの限りではない。例えば、エンボス加工等の圧着手段によって接合が行われるのであっても良い。
【符号の説明】
【００７１】
１  おむつ（パンツ型吸収性物品）、
１０  吸収性本体、
１１  吸収性コア、１１ｃ  くびれ部、１１ｆ  前側端部、１１ｂ  後側端部、
１２  肌側シート、１３  非肌側シート、
１４  シート部材、１５  コアラップシート、
２０  腹側胴回り部、２１  内層シート、２２  外層シート、
２３  胴回り弾性部材、
３０  背側胴回り部、３０Ａ  重複部、３０Ｂ  延出部、
３１  内層シート、３２  外層シート、
３３  胴回り弾性部材、３５  延出部弾性部材、
４０  防漏壁部、４０ｅｉ  内側端、４０ｅｏ  外側端、
４１  側部弾性部材（弾性部材）、４１Ａ，４１Ｂ  側部弾性部材（弾性部材）、
４２  肌側部、４２ａ  先端、
４３  非肌側部、
５１  前側端部固定部、５１１  肌側固定部、５１２  非肌側固定部、
５２  後側端部固定部、
６１  第１接合部、６１ｅｉ  内側端、
６２  第２接合部、６２ｅｉ  内側端、６２ｅｏ  外側端、６２ｅｂ  後側端、
１００  吸収パッド、
１００ｅｒ  端部（幅方向）、１００ｅｏ  外側端（幅方向）、
１１１  吸収体、１１２  肌側シート、１１３  非肌側シート、
１１４  シート部材、１１５  粘着部、
Ｗ６１  間隔（第１接合部）、Ｗ６２  間隔（第２接合部）、
Ｗ１００  長さ（幅方向）
【図１】
2020099590.tif 000003
【図２】
2020099590.tif 000004
【図３】
2020099590.tif 000005
【図４】
2020099590.tif 000006
【図５】
2020099590.tif 000007
【図６】
2020099590.tif 000008